(57)【要約】【課題】こすり洗い時の摩擦を低減し、コンタクトレンズのこすり洗いをしやすくするコンタクトレンズ洗浄用組成物を提供し、こすり洗いによるソフトコンタクトレンズの破損や、全てのコンタクトレンズのこすり洗いを確実することを目的とする。【解決手段】（Ａ）ポリビニル系水溶性高分子化合物と、（Ｂ）ムコ多糖類、ムコ多糖類塩、ポリリン酸及びポリリン酸塩から選ばれる化合物とを含有するコンタクトレンズ洗浄用組成物。【選択図】なし【特許請求の範囲】
【請求項１】
（Ａ）ポリビニル系水溶性高分子化合物と、（Ｂ）ムコ多糖類、ムコ多糖類塩、ポリリン酸及びポリリン酸塩から選ばれる化合物とを含有するコンタクトレンズ洗浄用組成物。
【請求項２】
（Ａ）成分／（Ｂ）成分で表される質量比が１／０．０１〜１／１０である請求項１記載のコンタクトレンズ洗浄用組成物。
【請求項３】
さらに、界面活性剤を含有する請求項１又は２記載のコンタクトレンズ洗浄用組成物。
【請求項４】
さらに、消毒剤を含有する請求項１、２又は３記載のコンタクトレンズ洗浄用組成物。
【請求項５】
こすり洗い用である請求項１〜４のいずれか１項記載のコンタクトレンズ洗浄用組成物。
【請求項６】
（Ａ）ポリビニル系水溶性高分子化合物と、（Ｂ）ムコ多糖類、ムコ多糖類塩、ポリリン酸及びポリリン酸塩から選ばれる化合物とを含有する組成物を、コンタクトレンズに接触させて、こすり洗いをすることを特徴とするコンタクトレンズの洗浄方法。
【発明の詳細な説明】
【技術分野】
【０００１】
本発明は、（Ａ）ポリビニル系水溶性高分子化合物と、（Ｂ）ムコ多糖類、ムコ多糖類塩、ポリリン酸及びポリリン酸塩から選ばれる化合物とを含有し、こすり洗いにおけるコンタクトレンズのすべり性を高めたコンタクトレンズ洗浄用組成物及びコンタクトレンズの洗浄方法に関するものである。
【背景技術】
【０００２】
２週間又は１ヶ月の頻回交換型ソフトコンタクトレンズが普及するに従い、レンズが薄く、かつ物理強度が低下したため、こすり洗い時にレンズを破損する例が増加した。また、上記ソフトコンタクトレンズに限らず、従来型のソフトコンタクトレンズや酸素透過型ハードコンタクトレンズ、ハードコンタクトレンズにおいても、こすり洗いの不足による洗浄不足が問題となる場合があり、こすり洗いの確実な励行が指導されている。
【０００３】
これまでのコンタクト用組成物において、うるおいやレンズ装着時の異物感を和らげることを目的とし、各種水溶性高分子を配合することが提案されている。例えば、ヒドロキシエチルセルロース及びポリビニルアルコール、ポリビニルピロリドン、コンドロイチン硫酸ナトリウムの４種を組合せることにより、（１）目に対する刺激がなく、レンズに対しても物理的、化学的に全く影響を及ぼさないこと、（２）角膜とレンズ及びレンズと眼瞼間に物理的緩衝帯を設けること、（３）レンズ表面を親涙性にし、曇りを生じるのを防ぐことが記載されている（例えば、特許文献１：特公昭４８−３７９１０号公報参照）。しかしながら、実施例において塩化ベンザルコニウムを単独で添加していることからも明らかなように、当時のコンタクトレンズは物理強度の高いハードコンタクトレンズが対象であり、また、こすり洗いによるレンズの破損については考慮も記載もされていない。
【０００４】
さらに、特許文献１に挙げられているポリビニルピロリドンがイオン性のコンタクトレンズ（ヒドロキシエチルメタクリレートを主材質とするソフトコンタクトレンズ）に対して吸着し、涙液層を安定化する、即ち、物理的吸着によりレンズ物性に影響を及ぼす技術が提案されているものの（特許文献２：特開２００１−２４７４６６号公報参照）、上記問題はなんら解決されていない。
【０００５】
以上のことから、こすり洗い時のソフトコンタクトレンズに対する破損の低減や、ハード及び酸素透過型ハードレンズを含めた全てのコンタクトレンズのこすり洗いのしやすさによる確実な洗浄を可能とする技術が望まれていた。
【０００６】
【特許文献１】特公昭４８−３７９１０号公報
【特許文献２】特開２００１−２４７４６６号公報
【発明の開示】
【発明が解決しようとする課題】
【０００７】
本発明は上記事情に鑑みなされたもので、こすり洗い時の摩擦を低減し、コンタクトレンズのこすり洗いをしやすくするコンタクトレンズ洗浄用組成物を提供し、こすり洗いによるソフトコンタクトレンズの破損や、全てのコンタクトレンズのこすり洗いを確実にすることを目的とする。
【課題を解決するための手段】
【０００８】
本発明者は、上記目的を達成するため鋭意検討した結果、（Ａ）ポリビニル系水溶性高分子化合物と、（Ｂ）ムコ多糖類、ムコ多糖類塩、ポリリン酸及びポリリン酸塩から選ばれる化合物を併用することにより、コンタクトレンズをこすり洗いする際の摩擦を軽減し、コンタクトレンズのすべり性に優れ、コンタクトレンズのこすり洗いをしやすくし、優れた洗浄力を有するコンタクトレンズ洗浄用組成物が得られることを知見し、本発明をなすに至ったものである。
【０００９】
従って、本発明は、
[１]．（Ａ）ポリビニル系水溶性高分子化合物と、（Ｂ）ムコ多糖類、ムコ多糖類塩、ポリリン酸及びポリリン酸塩から選ばれる化合物とを含有するコンタクトレンズ洗浄用組成物、
[２]．（Ａ）成分／（Ｂ）成分で表される質量比が１／０．０１〜１／１０である[１]記載のコンタクトレンズ洗浄用組成物、
[３]．さらに、界面活性剤を含有する[１]又は[２]記載のコンタクトレンズ洗浄用組成物、
[４]．さらに、消毒剤を含有する[１]、[２]又は[３]記載のコンタクトレンズ洗浄用組成物、
[５]．こすり洗い用である[１]〜[４]のいずれかに記載のコンタクトレンズ洗浄用組成物、
[６]．（Ａ）ポリビニル系水溶性高分子化合物と、（Ｂ）ムコ多糖類、ムコ多糖類塩、ポリリン酸及びポリリン酸塩から選ばれる化合物とを含有する組成物を、コンタクトレンズに接触させて、こすり洗いをすることを特徴とするコンタクトレンズの洗浄方法を提供する。
【発明の効果】
【００１０】
本発明によれば、こすり洗い時の摩擦を低減し、コンタクトレンズのこすり洗いをしやすくし、洗浄力に優れるコンタクトレンズ洗浄用組成物及びコンタクトレンズの洗浄方法を提供することができる。
【発明を実施するための最良の形態】
【００１１】
本発明の（Ａ）成分はポリビニル系水溶性高分子化合物であり、ポリビニルピロリドン（ポビドン）、ポリビニルアルコールが挙げられ、１種単独で又は２種以上を適宜組み合わせて用いることができる。この中でもポリビニルピロリドンが好ましい。ポリビニルピロリドンのＫ値は、特に限定されないが、２５〜９０の範囲が好ましい。また、ポリビニルアルコールは、部分けん化物、完全けん化物のどちらでもよい。
【００１２】
（Ａ）ポリビニル系水溶性高分子化合物の重量平均分子量は３，０００〜１，２００，０００であり、３０，０００〜１，２００，０００が好ましい。なお、重量平均分子量は光拡散法で測定する。
【００１３】
（Ａ）成分の配合量は、組成物全体に対して０．００１〜１０ｇ／１００ｍＬが好ましく、より好ましくは０．０１〜５ｇ／１００ｍＬ、さらに好ましくは０．１〜２ｇ／１００ｍＬである。この濃度範囲で特にすべり性が得られ、多すぎると組成の製造又は使用感（レンズの装用感）に悪影響を及ぼす場合がある。
【００１４】
本発明の（Ｂ）成分はムコ多糖類、ムコ多糖類塩、ポリリン酸及びポリリン酸塩から選ばれる化合物であり、１種単独で又は２種以上を適宜組み合わせて用いることができる。ムコ多糖類としては、コンドロイチン硫酸、コンドロイチン多硫酸、ヒアルロン酸等の酸性ムコ多糖類が挙げられ、ポリリン酸としては、ピロリン酸、トリポリリン酸、トリメタリン酸、テトラリン酸、ヘキサメタリン酸等が挙げられる。塩としては、ナトリウム塩、カリウム塩、アンモニウム塩、カルシウム塩、マグネシウム塩が好ましい。この中でも、コンドロイチン硫酸、ヒアルロン酸、ピロリン酸、及びこれらの塩が好ましく、特にヒアルロン酸又はその塩が好ましい。
【００１５】
（Ｂ）成分の配合量は、組成物全体に対して０．０００１〜１０ｇ／１００ｍＬが好ましく、より好ましくは０．００１〜５ｇ／１００ｍＬ、さらに好ましくは０．００２〜２ｇ／１００ｍＬである。この濃度範囲で特にすべり性が得られ、多すぎると組成の製造又は使用感（レンズの装用感）に悪影響を及ぼす場合がある。
【００１６】
また、（Ａ）成分／（Ｂ）成分で表される質量比は任意に設定することができるが、１／０．０００１〜１／１０００が好ましく、より好ましくは１／０．００１〜１／１００、さらに好ましくは１／０．０１〜１／１０、特に好ましくは１／０．０１〜１／２である。質量比を上記範囲にすることにより、（Ａ）成分と（Ｂ）成分を同時配合することによって生み出される、こすり洗い時のコンタクトレンズのすべり性の向上効果を特に得ることができる。なお、こすり洗い時の「すべり性」が高まることにより、結果としてレンズに付着したタンパク等の汚れに対する物理的な洗浄力も向上し、こすり洗いの不足による眼病の発生を予防することができる。
【００１７】
本発明におけるコンタクトレンズ洗浄用組成物の２０℃のｐＨは、特に制限されないが、ソフトコンタクトレンズの物性に与える影響や眼刺激性の点から、４．５〜８．０に調整することが好ましい。
【００１８】
ｐＨは、水酸化ナトリウム、水酸化カリウム、炭酸ナトリウム、炭酸水素ナトリウム、クエン酸ナトリウム等のアルカリ剤、塩酸、希塩酸、クエン酸、リン酸、酢酸等の酸を１種単独で又は２種以上を適宜組み合わせて調整することができる。
【００１９】
本発明のコンタクトレンズ洗浄用組成物は、ホウ酸、ホウ砂、アスパラギン酸及びその塩、イプシロン−アミノカプロン酸、Ｌ−グルタミン酸及びその塩、トロメタミン、トロメタモール、リン酸及びその塩、クエン酸及びその塩、酢酸及びその塩、炭酸及びその塩等の緩衝剤を１種単独で又は２種以上を適宜組み合わせて配合することが好ましい。
【００２０】
緩衝剤の配合量は、組成物全体に対して０．０００１〜１０ｇ／ｍＬが好ましく、より好ましくは０．００１〜５ｇ／１００ｍＬである。
【００２１】
本発明のコンタクトレンズ洗浄用組成物には、上記成分の他に、防腐剤を本発明の効果を損なわない範囲において配合することが好ましい。防腐剤としては、ソルビン酸、ソルビン酸カリウム、グルコン酸クロルヘキシジン、アルキルポリアミノエチルグリシン（例えばテゴー５１、ＫＯＴＯＢＵＫＩ  ＣＯ．ＬＴＤ製）、塩化ポリドロニウム、塩酸ポリヘキサニド等が挙げられるが、これらに限定されるものではなく、１種単独で又は２種以上を適宜組み合わせて用いることができる。
【００２２】
上記防腐剤の配合量は、組成物全体に対して０．０００１〜１ｇ／１００ｍＬが好ましく、より好ましくは０．０００５〜０．５ｇ／１００ｍＬである。
【００２３】
なお、本発明のコンタクトレンズ洗浄用組成物には、上記成分に加え、必要に応じて点眼剤、ソフトコンタクトレンズ消毒剤等の調製に通常使用する各種成分をその通常の使用量において、１種単独で又は２種以上を適宜組み合わせて配合することができる。以下に具体的に例示するが、これに限定されるものではない。この中でも（Ｉ）消毒剤、（ＩＩ）界面活性剤を配合することが好ましい。
【００２４】
（Ｉ）消毒剤
塩化ポリドロニウム、塩酸ポリヘキサニド、テトラヘキサメチレンビグアニド、塩化ベンザルコニウム、塩化ベンゼトニウム、塩化セチルピリジニウム、過酸化水素、有機過酸、有機過酸前駆体が挙げられる。
【００２５】
（Ｉ）消毒剤の配合量は、安全性が確保できる範囲である。通常、組成物全体に対して０．００００１〜１０ｇ／１００ｍＬが好ましく、より好ましくは０．００００５〜５ｇ／１００ｍＬ、さらに好ましくは、０．０００１〜１ｇ／１００ｍＬ、特に好ましくは０．０００１〜０．１ｇ／１００ｍＬであり、上記濃度範囲でより消毒効果を得ることができる。
【００２６】
（ＩＩ）界面活性剤
アニオン界面活性剤、ノニオン界面活性剤、両性界面活性剤が挙げられ、具体的には、脂肪酸及びその塩、アルキルエーテルカルボン酸及びその塩、Ｎ−アシルアミノ酸及びその塩（Ｎ−アシルグルタミン酸及びその塩、Ｎ−アシル−Ｎ−メチル−β−アラニン及びその塩、Ｎ−アシル−Ｎ−メチルタウリン及びその塩）、アルキルリン酸及びその塩、Ｎ−アシルサルコシン及びその塩、アルキル硫酸及びその塩、ポリオキシエチレンアルキル硫酸及びその塩、スルホン酸及びその塩、α−オレフィンスルホン酸及びその塩、α−スルホ脂肪酸及びその塩、α−スルホ脂肪酸塩誘導体（２鎖型α−スルホ脂肪酸塩、ジェミニ型α−スルホ脂肪酸塩）、水素添加リン脂質（３−ｓｎ−ホスファチジルイノシトール、３−ｓｎ−ホスファチジルグリセロール）、アルキルスルホコハク酸及びその塩、グリチルリチン酸及びその塩、α−スルホ脂肪酸塩誘導体（２鎖型α−スルホ脂肪酸塩、ジェミニ型α−スルホ脂肪酸塩）及び水素添加リン脂質（３−ｓｎ−ホスファチジルイノシトール、３−ｓｎ−ホスファチジルグリセロール）、塩化トリ（ポリオキシエチレン）ステアリルアンモニウム（５Ｅ．Ｏ．）、塩化オレイルビス（２−ヒドロキシエチル）メチルアンモニウム、ラノリン脂肪酸アミノプロピルエチルジメチルアンモニムエトサルフェート及びＮ−ココイル−Ｌ−アルギニンエチルエステル−ＤＬ−ピロリドンカルボン酸塩、ラウリルジアミノエチルグリシンナトリウム、２−アルキル−Ｎ−カルボキシメチル−Ｎ−ヒドロキシエチルイミダゾリニウムベタイン及びアルキルジメチルアミンオキシド、ポリオキシエチレンアルキルエーテル、ポリオキシエチレンアルキルフェニルエーテル、ポリオキシエチレンソルビタンアルキルエステル（例えば、ＴＯ−１０（商品名）、日本サーファクタント工業（株）製）、ポリオキシエチレン硬化ヒマシ油（例えばＨＣＯ−６０（商品名）、日本サーファクタント工業（株）製）、脂肪酸モノグリセリド、プロピレングリコール脂肪酸エステル、脂肪酸ショ糖エステル及びポリオキシエチレン−ポリオキシプロピレンエチレンジアミン縮合物、ポリオキシエチレンポリオキシプロピレンブロックコポリマー（例えばポロクサマー４０７（商品名）、日本油脂（株）製）等が挙げられる。
【００２７】
（ＩＩ）界面活性剤の配合量は、組成物全体に対して０．００１〜１０ｇ／１００ｍＬが好ましく、より好ましくは０．０１〜５ｇ／１００ｍＬ、さらに好ましくは０．１〜１ｇ／１００ｍＬである。上記濃度範囲でより洗浄効果を得ることができる。
【００２８】
（ＩＩＩ）薬効成分
タンパク分解酵素、プロテアーゼ、リパーゼ、アミラーゼ、グルコシダーゼ等が挙げられる。また、アラントイン、塩化ベルベリン、硫酸ベルベリン、アズレンスルホン酸ナトリウム、硫酸亜鉛、乳酸亜鉛、塩化リゾチーム等の抗炎症剤、フラビンアデニンジヌクレオチドナトリウム（活性型ビタミンＢ2）、塩酸ピリドキシン（ビタミンＢ6）、シアノコバラミン（ビタミンＢ12）、ビタミンＥアセテート、パントテン酸カルシウム、パントテン酸ナトリウム、パンテノール、酢酸レチノール、パルミチン酸レチノール（ビタミンＡパルミテート）等のビタミン類、エピネフリン、塩酸エピネフリン、塩酸エフェドリン、塩酸ナファゾリン、硝酸ナファゾリン、塩酸フェニレフリン、塩酸テトラヒドロゾリン等の充血除去成分、塩酸ジフェンヒドラミン、マレイン酸クロルフェニラミン等の抗ヒスタミン剤、スルファメトキサゾール、スルファメトキサゾールナトリウム、スルフイソキサゾール、スルフイソミジンナトリウム等のサルファ剤、クロモグリク酸、クロモグリク酸ナトリウム、トラニラスト、ペミロラストカリウム等の抗アレルギー剤、クロロブタノール等の局所麻酔剤、Ｌ−アスパラギン酸カリウム、Ｌ−アスパラギン酸マグネシウム、Ｌ−アスパラギン酸カリウムマグネシウム（等量混合物）、アミノエチルスルホン酸（タウリン）、イプシロンアミノカプロン酸、Ｌ−グルタミン酸、Ｌ−グルタミン酸ナトリウム等のアミノ酸類、メチル硫酸ネオスチグミン等の有効成分、塩化ナトリウム、塩化カリウム、塩化カルシウム、炭酸水素ナトリウム、炭酸ナトリウム、乾燥炭酸ナトリウム、硫酸マグネシウム等の無機塩類が挙げられる。
【００２９】
（ＩＩＩ）薬効成分の配合量は、組成物全体に対して０．００１〜１０ｇ／１００ｍＬが好ましく、より好ましくは０．０１〜５ｇ／１００ｍＬである。上記濃度範囲でより洗浄効果を得ることができる。
【００３０】
（ＩＶ）安定化剤
エチレンジアミン四酢酸、エチレンジアミン四酢酸二ナトリウム（エデト酸ナトリウム）、ジブチルヒドロキシトルエン（ＢＨＴ）、アスコルビン酸等の抗酸化剤等が挙げられる。
【００３１】
（Ｖ）等張化剤
アミノエチルスルホン酸等のアミノ酸類、塩化カリウム、塩化ナトリウム、塩化カルシウム等の塩類、グルコース、ブドウ糖等の糖類及びその誘導体、グリセリン、マンニトール、ソルビトール等の糖アルコール類及びその誘導体等が挙げられる。
【００３２】
（ＶＩ）溶解補助剤
エチレングリコール、プロピレングリコール、グリセリン等が挙げられる。
【００３３】
（ＶＩＩ）香料（清涼化剤）
メントール、カンフル、ボルネオール、ゲラニオール、リナロール、シネオール、クールミント、ハッカ水、ハッカ油、ウイキョウ油、ベルガモット油、ユーカリ油、ＷＳ−３等が挙げられる。
【００３４】
（ＶＩＩＩ）増粘剤
メチルセルロース、エチルセルロース、ヒドロキシエチルセルロース、ヒドロキシプロピルセルロース、ヒドロキシプロピルメチルセルロース、ヒドロキシプロピルエチルセルロース、カルボキシメチルセルロース、カルボキシビニルポリマー等が挙げられる。
【００３５】
（ＩＸ）高機能高分子化合物
特開２００２−２５６０３０号公報、特開２００３−２５２９３４号公報、特開２００４−３５９９４７号公報、特開２００６−３８２７号公報、特開２００５−２０８６２８号公報、特願２００５−１９０９６３号等に記載の防汚高分子化合物あるいは洗浄防汚高分子化合物、水膜形成高分子化合物が挙げられる。これらの高機能高分子化合物を配合すると、洗浄力がより高くなる。
【００３６】
（ＩＸ）高機能高分子化合物としては、例えば下記（ｉ）単量体０．１〜２９質量％、（ｉｉ）単量体２１〜９９．８９質量％、（ｉｉｉ）単量体０．０１〜２０質量％及び（ｉｖ）単量体０〜９質量％を含む単量体混合物を共重合してなり、重量平均分子量が５，０００〜１，０００，０００である高分子化合物が挙げられる。
（ｉ）下記一般式（１）で表される３級アミノ基を有する単量体
【化１】
2008009145.tif 000002
（式中、Ｒ1は水素原子又はメチル基、Ａは酸素原子又はＮＨ、Ｒ2、Ｒ3は独立に、水素原子又は炭素数１〜４の直鎖もしくは分岐鎖のアルキル基、Ｒ4、Ｒ5は独立に、炭素数１〜４の直鎖もしくは分岐鎖のアルキル基を示し、ｍは０、１又は２である。）
（ｉｉ）Ｎ−ビニル−２−ピロリドン
（ｉｉｉ）下記一般式（２）で表される（メタ）アクリル酸エステル単量体
ＣＨ2＝Ｃ（Ｒ6）ＣＯＯＲ7    （２）
（式中、Ｒ6は水素原子又はメチル基であり、Ｒ7は炭素数１〜１８の直鎖もしくは分岐鎖のアルキル基である。）
（ｉｖ）（ｉ）〜（ｉｉｉ）以外の非イオン性水溶性単量体
なお、（ｉｖ）成分としては、（メタ）アクリル酸ヒドロキシエチル、メトキシポリエチレングリコールモノ（メタ）アクリレート等のポリアルキレングリコール基含有単量体等が挙げられる。より具体的には、ＤＭＡＰＡＡ：ジメチルアミノプロピルアクリルアミドと、ＶＰ：Ｎ−ビニル−２−ピロリドンと、ＭＭＡ：メタクリル酸メチルと、Ｍ−９０Ｇ：メトキシポリエチレングリコールモノメタクリレートとの共重合体等が挙げられる。
【００３７】
上記重量平均分子量はゲルクロマトグラフィーで、１０ｍｍｏｌ／Ｌを加えたＮ，Ｎ−ジメチルホルムアミド（ＤＭＦ）溶液を移動相とし、ポリスチレンを標準として求めることができる。
【００３８】
コンタクトレンズ洗浄用組成物の粘度特に制限されないが、２０℃において１〜５０ｍＰａ・ｓが好ましく、より好ましくは２〜２０ｍＰａ・ｓ、さらに好ましくは４〜１０ｍＰａ・ｓである。この粘度範囲で製造しやすく、レンズを装着した際の使用感が特によくなる。なお、粘度の測定は毛細管粘度計で測定する。
【００３９】
本発明のコンタクトレンズ洗浄用組成物は、上記必須成分、任意成分及び水（残部）を混合し、常法により調製し得る。コンタクトレンズ洗浄用組成物は、コンタクトレンズ用洗浄剤、コンタクトレンズ用消毒剤、コンタクトレンズ用消毒洗浄剤、コンタクトレンズ用洗浄保存液、マルチパーパスソリューション等の、こすり洗いを必要とするこすり洗い用コンタクトレンズ洗浄用組成物として好適である。
【００４０】
本発明のコンタクトレンズ洗浄用組成物は、全てのコンタクトレンズに使用が可能である。具体的には、ハードコンタクトレンズ、酸素透過型ハードコンタクトレンズ、ソフトコンタクトレンズ、頻回交換型ソフトコンタクトレンズ、毎日交換型ソフトコンタクトレンズに使用できる。特に、ソフトコンタクトレンズに好適である。
【００４１】
本発明のコンタクトレンズの洗浄方法は、（Ａ）ポリビニル系水溶性高分子化合物と、（Ｂ）ムコ多糖類、ムコ多糖類塩、ポリリン酸及びポリリン酸塩から選ばれる化合物とを含有する上記組成物を、コンタクトレンズに接触させて、こすり洗いをするものである。コンタクトレンズに接触させる方法としては、特に限定されず、コンタクトレンズにコンタクトレンズ洗浄用組成物を１回あたり０．１〜２０ｍＬ添加してもよく、コンタクトレンズ洗浄用組成物に浸漬してもよい。その後、コンタクトレンズを指でこすり洗し、必要に応じて洗い流すこともできる。
【実施例】
【００４２】
以下、実施例及び比較例を示し、本発明を具体的に説明するが、本発明は下記の実施例に制限されるものではない。
【００４３】
［実施例１］
適量の精製水に、ポリビニルピロリドン（ポビドン（Ｋ−９０））０．１ｇ、ヒアルロン酸ナトリウム０．０５ｇ、予備溶解した塩酸ポリヘキサニド（最終配合量として０．０００１ｇ／１００ｍＬ相当）、α−オレフィンスルホン酸ナトリウム（Ｃ１４ＡＯＳ）０．１ｇ、ホウ酸０．８ｇ、塩化ナトリウム０．５ｇを加えて加温溶解した。冷却後、水酸化ナトリウムを適量加えてｐＨを７．０に調整し、精製水にて全量を１００ｍＬとし、ろ過して、コンタクトレンズ洗浄用組成物を調製した。
【００４４】
［実施例２〜１１、比較例１〜３］
実施例１の調製方法に準じて、表１，２に示す組成のコンタクトレンズ洗浄用組成物を調製した。得られたコンタクトレンズ洗浄用組成物について下記評価を行った。結果を表中に併記する。
【００４５】
<こすり洗いにおけるコンタクトレンズのすべり性評価>
５ｍＬのモデルタンパク汚れ液（卵白リゾチーム０．１２ｇ、塩化ナトリウム０．９ｇ、リン酸水素二ナトリウム０．０４５ｇを精製水に溶かして１００ｍＬとした液）に、コンタクトレンズ（２ｗｅｅｋアキュビュー、ジョンソン・エンド・ジョンソン（株）製）１枚を３７℃で１時間浸漬した後、表面の液分を取り除いた。モデルタンパクを付着させたコンタクトレンズにコンタクトレンズ洗浄用組成物３滴を落とし、レンズを手のひらに乗せ、その表裏を指で３０回丁寧にこすり洗いをした。その際のレンズのすべり性（引っかかり感）を下記の基準に従って官能評価した。
【００４６】
評価基準
◎：全く引っ掛かりがなく、スムースにこすり洗いができるレベル
○：ほとんど引っ掛かりがなく、問題なくこすり洗いができるレベル
△：やや引っかかりはあるが、慎重にこすり洗いをすれば問題ないレベル
×：引っ掛かりがひどく、レンズを破損しかねないレベル
【００４７】
<洗浄力の評価>
上記すべり性評価を行ったコンタクトレンズをニンヒドリン試液に軽くくぐらせ、余分な液分を取り除き、７０℃で１５分、乾燥させて色調を評価した。
【００４８】
評価は、以下の色調を５と１とし、その程度を５段階に分けて目視判定した。
５：モデルタンパク汚れを付着させていない、ブランクのコンタクトレンズをニンヒドリン処理した場合と同等（着色程度が最も弱い、タンパク汚れの付着がゼロ）
１：サンプルによる洗浄操作を行っていない、コントロールのコンタクトレンズをニンヒドリン処理した場合と同等（着色程度が最も強い、タンパク汚れの付着が最大）
【００４９】
【表１】
2008009145.tif 000003
【００５０】
【表２】
2008009145.tif 000004